(57)【要約】【課題】ＩＣチップが破損しているかどうかを容易に検知する。【解決手段】非接触状態にて情報の書き込みや読み出しを行うためのメインアンテナ１１０に接続されたＩＣチップ１０１に、２つの配線１２０ａ，１２０ｂからなり、ＩＣチップ１０１に対して情報の書き込みや読み出しを行う周波数の電波に共振する長さのサブアンテナ１２０を接続し、このサブアンテナ１２０に発光素子１０３を接続する。サブアンテナ１２０を構成する２つの配線１２０ａ，１２０ｂは、それぞれの長さを、ＩＣチップ１０１に対して情報の書き込みや読み出しを行う周波数に共振しない長さとする。【選択図】図１
2008090652.tif 000002
【特許請求の範囲】
【請求項１】
情報の書き込み及び／または読み出しが可能な回路部を内蔵したＩＣチップと、前記ＩＣチップに接続されたメインアンテナとを有し、受信した電波に共振することによって前記メインアンテナにて生じた電流が前記回路部に供給されることにより、前記ＩＣチップに対して非接触状態にて情報の書き込み及び／または読み出しが行われるＲＦＩＤメディアにおいて、
前記回路部を介して互いが接続されるように一端が前記ＩＣチップにそれぞれ接続された第１及び第２の配線部からなるサブアンテナと、
前記第１及び第２の配線部の他端にそれぞれ接続され、前記電波に共振することによって前記サブアンテナにて生じた電流が供給されることにより駆動する表示手段とを有し、
前記第１及び第２の配線部は、前記回路部を介して接続された長さが前記電波に共振する長さであり、かつ、それぞれの長さが前記電波に共振しない長さであることを特徴とするＲＦＩＤメディア。
【発明の詳細な説明】
【技術分野】
【０００１】
本発明は、非接触状態にて情報の書き込みや読み出しが可能なＩＣチップを有してなるＲＦＩＤメディアに関し、特に、ＩＣチップ内の回路部が断線する等のＩＣチップの破損を検知する技術に関する。
【背景技術】
【０００２】
昨今、情報化社会の進展に伴って、情報をカードに記録し、該カードを用いた情報管理や決済等が行われている。また、商品等に貼付されるラベルやタグに情報を記録し、このラベルやタグを用いての商品等の管理も行われている。
【０００３】
このようなカードやラベル、あるいはタグを用いた情報管理においては、カードやラベル、あるいはタグに対して非接触状態にて情報の書き込みや読み出しを行うことが可能なＩＣチップが搭載された非接触型ＩＣカードや非接触型ＩＣラベル、あるいは非接触型ＩＣタグがその優れた利便性から急速な普及が進みつつある。
【０００４】
非接触状態にて情報の書き込みや読み出しが可能な非接触型ＩＣカードや非接触型ＩＣラベル、非接触型ＩＣタグにおいては、近年、小型化及び通信可能距離を確保するために、マイクロ波帯を利用して通信を行う微細なＩＣチップが用いられることが多くなってきている。
【０００５】
このような微細なＩＣチップを用いた場合、ＩＣチップに導電性のアンテナを接続することにより、ＩＣチップの通信可能距離を延ばすことができる。
【０００６】
図６は、マイクロ波帯を利用して通信を行うＩＣチップが搭載された非接触型ＩＣタグの一例を示す図であり、（ａ）は上面図、（ｂ）は（ａ）に示したＡ−Ａ’断面図である。
【０００７】
本構成例は図６に示すように、樹脂や紙等からなるベース基材３０２上に、互いに直列に並ぶように所定の間隔を有して形成された２つの配線３１０ａ，３１０ｂからなるアンテナ３１０が形成されており、この２つの配線３１０ａ，３１０ｂの一端に接続されるように、非接触状態にて情報の書き込み及び読み出しが可能なＩＣチップ３０１が搭載されて構成されている。
【０００８】
上記のように構成された非接触型ＩＣタグ３００においては、外部に設けられた情報書込／読出装置（不図示）に近接させることにより、情報書込／読出装置からの電波に共振してアンテナ３１０に電流が流れ、この電流がＩＣチップ３０１に供給され、それにより、非接触状態において、情報書込／読出装置からＩＣチップ３０１に情報が書き込まれたり、ＩＣチップ３０１に書き込まれた情報が情報書込／読出装置にて読み出されたりする。このように情報書込／読出装置にてＩＣチップ３０１に対して情報の書き込みや読み出しを行うためには、アンテナ３１０の長さを、ＩＣチップ３０１に対して情報の書き込みや読み出しを行う周波数に応じて設定しておくとともに、ＩＣチップ３０１とアンテナ３０２とのインピーダンス整合をとっておく必要がある。
【０００９】
このような非接触型ＩＣタグ３００は、製造段階においてＩＣチップ３０１が正常に動作するかどうかが検査される。また、製造後においても、ＩＣチップ３０１が破損していないかどうかを検査することで、非接触型ＩＣタグ３００を用いたアプリケーションの信頼性を向上させることができる。
【００１０】
このような検査において、ＩＣチップ３０１に内蔵された回路部が断線する等してＩＣチップ３０１が破損した場合は、情報の書き込みや読み出しができなくなる。ところが、上述したように、図６に示したような非接触型ＩＣタグ３００においては、アンテナ３１０の長さや、ＩＣチップ３０１とアンテナ部３０２とのインピーダンス整合がとられているかどうかによっても、情報の書き込みや読み出しができなくなる。そのため、ＩＣチップ３０１が破損しているかどうかを検査する場合に、情報書込／読出装置を用いて情報の書き込みや読み出しを行うだけでは、ＩＣチップ３０１が破損しているかどうかを判断することができるとは言い難い。
【００１１】
ここで、外部から加わる衝撃を感知する衝撃感知センサを備えた非接触データキャリア装置が特許文献１に記載されている。この非接触型データキャリア装置においては、衝撃によって断線する配線を有する衝撃感知センサを備え、この配線の両端部の電位を測定してＩＣチップ内に記憶しておくことにより、衝撃が加わったかどうかの情報を保持しておくことができる。
【特許文献１】特開２００２−１５０２４９号公報
【発明の開示】
【発明が解決しようとする課題】
【００１２】
しかしながら、上述したような衝撃感知センサを用いた場合においては、外部からの衝撃が加わったかどうかを確認することができるものの、その衝撃でＩＣチップが破損しているかどうかを認識することはできない。また、衝撃が加わったかどうかを確認する場合、ＩＣチップ内に記憶された情報を読み出すことになるため、ＩＣチップに対する情報の読み出し処理を行うことになってしまい、ＩＣチップが破損している場合、その旨を検知する目的としては利用することができない。
【００１３】
本発明は、上述したような従来の技術が有する問題点に鑑みてなされたものであって、ＩＣチップが破損しているかどうかを容易に検知することができるＲＦＩＤメディアを提供することを目的とする。
【課題を解決するための手段】
【００１４】
上記目的を達成するために本発明は、
情報の書き込み及び／または読み出しが可能な回路部を内蔵したＩＣチップと、前記ＩＣチップに接続されたメインアンテナとを有し、受信した電波に共振することによって前記メインアンテナにて生じた電流が前記回路部に供給されることにより、前記ＩＣチップに対して非接触状態にて情報の書き込み及び／または読み出しが行われるＲＦＩＤメディアにおいて、
前記回路部を介して互いが接続されるように一端が前記ＩＣチップにそれぞれ接続された第１及び第２の配線部からなるサブアンテナと、
前記第１及び第２の配線部の他端にそれぞれ接続され、前記電波に共振することによって前記サブアンテナにて生じた電流が供給されることにより駆動する表示手段とを有し、
前記第１及び第２の配線部は、前記回路部を介して接続された長さが前記電波に共振する長さであり、かつ、それぞれの長さが前記電波に共振しない長さであることを特徴とする。
【００１５】
上記のように構成された本発明においては、ＩＣチップに内蔵された回路部に情報の書き込みや読み出しが行われる場合は、ＩＣチップに接続されたメインアンテナが受信した電波に共振することによりメインアンテナに電流が生じ、この電流が回路部に供給され、それにより、ＩＣチップに対して非接触状態にて情報の書き込みや読み出しが行われる。この際、ＩＣチップの回路部に接続された第１及び第２の配線部からなるサブアンテナにおいては、第１の配線部と第２の配線部とが回路部を介して接続された状態となっており、回路部を介して接続された長さが、受信した電波に共振する長さであるため、第１及び第２の配線部からなるサブアンテナにおいても共振による電流が生じ、この電流が表示手段に供給されて表示手段が駆動する。ここで、ＩＣチップ内の回路部が断線する等、ＩＣチップが破損した場合は、サブアンテナを構成する第１の配線部と第２の配線部とが回路部にて断線した状態となる。第１及び第２の配線部は、それぞれの長さが電波に共振しない長さであるため、この状態においては、サブアンテナには電流が生じず、表示手段が駆動しない。
【００１６】
このように、ＩＣチップが破損していない場合は、サブアンテナが受信する電波に共振することにより生じる電流によって表示手段を駆動させ、また、ＩＣチップ内の回路部が断線する等、ＩＣチップが破損している場合は、サブアンテナが受信する電波に共振しないことで表示手段を駆動させないことにより、この表示手段を用いてＩＣチップが破損しているかどうかが検知されることになる。
【発明の効果】
【００１７】
以上説明したように本発明においては、ＩＣチップが破損していない場合は、サブアンテナが受信する電波に共振することにより生じる電流によって表示手段を駆動させ、また、ＩＣチップ内の回路部が断線する等、ＩＣチップが破損している場合は、サブアンテナが受信する電波に共振しないことで表示手段を駆動させない構成とすることより、この表示手段を用いてＩＣチップが破損しているかどうかを容易に検知することができる。
【発明を実施するための最良の形態】
【００１８】
以下に、本発明の実施の形態について図面を参照して説明する。
【００１９】
図１は、本発明のＲＦＩＤメディアの実施の一形態を示す図であり、（ａ）は上面図、（ｂ）は（ａ）に示したＡ−Ａ’断面図である。
【００２０】
本形態は図１に示すように、樹脂や紙等からなるベース基材１０２上に、２つの配線１１０ａ，１１０ｂからなるメインアンテナ１１０と、第１の配線部となる配線１２０ａ及び第２の配線部となる配線１２０ｂからなるサブアンテナ１２０とが形成されるとともに、このメインアンテナ１１０及びサブアンテナ１２０にそれぞれ接続されるように、非接触状態にて情報の書き込み及び読み出しが可能なＩＣチップ１０１が搭載され、さらに、サブアンテナ１２０に接続されるように表示手段である発光素子１０３が搭載されて構成されている。
【００２１】
メインアンテナ１１０を構成する２つの配線１１０ａ，１１０ｂは、一端が互いに空隙を介して配置され、この一端にてＩＣチップ１０１に接続されてジグザグ形状を有して互いに離れる方向に伸び、他端がそれぞれ導電領域１１１ａ，１１１ｂに接続されている。このように２つの配線１１０ａ，１１０ｂがジグザグ形状を有することにより、メインアンテナ１１０はメアンダアンテナとなっている。
【００２２】
サブアンテナ１２０を構成する２つの配線１２０ａ，１２０ｂは、一端が配線１１０ａ，１１０ｂとともになって互いに空隙を介して配置され、この一端にてＩＣチップ１０１に接続され、他端が発光素子１０３に接続されている。
【００２３】
発光素子１０３は、電流が流れることにより発光するＬＥＤ等からなり、サブアンテナ１２０に流れる電流が供給されることによって発光する。そのため、実際には、サブアンテナ１２０に流れる交流電流を直流電流に整流するためのダイオード等を用いた整流回路や、サブアンテナ１２０に流れる電流による電圧を昇圧するためのコンデンサやコイル等を用いた昇圧回路が発光素子１０３とサブアンテナ１２０との間に設けられるが、本形態においては、説明を簡単にするためにそれらの構成要素については図示及び説明を省略する。
【００２４】
ＩＣチップ１０１は、内部に情報の書き込み及び読み出しが可能なメモリや制御回路等の回路部（不図示）を有し、この回路部を挟んで２つの接続端子（不図示）が設けられている。配線１１０ａ，１２０ａは、２つの接続端子のうち一方の接続端子に接続され、また、配線１１０ｂ，１２０ｂは、２つの接続端子のうち他方の接続端子に接続されている。それにより、配線１１０ａと配線１１０ｂとがＩＣチップ１０１内の回路部を介して互いが接続されるようにＩＣチップ１０１に接続され、また、配線１２０ａと配線１２０ｂとがＩＣチップ１０１内の回路部を介して互いが接続されるようにＩＣチップ１０１に接続されている。
【００２５】
ここで、メインアンテナ１１０を構成する配線１１０ａ，１１０ｂ及びサブアンテナ１２０を構成する配線１２０ａ，１２０ｂの長さについて説明する。
【００２６】
図２は、図１に示した非接触型ＩＣタグ１００の周波数特性を説明するための図であり、ＩＣチップ１０１への情報の書き込み及び読み出しに用いる周波数に対する非接触型ＩＣタグ１００のリターンロスを示す。
【００２７】
図１に示した非接触型ＩＣタグ１００においては、図２に示すように、情報の書き込み及び読み出しに用いる周波数によってリターンロスが変化するため、リターンロスが最も低くなるメインアンテナ１１０における共振点であるピークポイントＡにおける周波数を、情報の書き込み及び読み出しに用いる周波数ｆaに設定する必要がある。ここで、メインアンテナ１１０においては、その長さが、情報の書き込み及び読み出しに用いる周波数ｆaとベース基材１０２の比透磁率及び比誘電率とから求まる波長λの１／２である場合に、その共振点における周波数がｆaとなって共振するダイポールアンテナとして機能し、ＩＣチップ１０１に対する情報の書き込みや読み出しが可能となる。
【００２８】
そのため、メインアンテナ１１０の長さ、すなわち、ＩＣチップ１０１の回路部を介して２つの配線１１０ａ，１１０ｂが接続された長さは、情報の書き込み及び読み出しに用いる周波数ｆaとベース基材１０２の比透磁率及び比誘電率とから求まる波長λの１／２となっている。
【００２９】
また、メインアンテナ１１０を構成する配線１１０ａ，１１０ｂにおいては、その長さが、情報の書き込み及び読み出しに用いる周波数ｆaとベース基材１０２の比透磁率及び比誘電率とから求まる波長λの１／４である場合に、その共振点における周波数がｆaとなって共振するモノポールアンテナとして機能し、ＩＣチップ１０１に対する情報の書き込みや読み出しが可能となる。
【００３０】
そのため、配線１１０ａ，１１０ｂのそれぞれの長さは、情報の書き込み及び読み出しに用いる周波数ｆaとベース基材１０２の比透磁率及び比誘電率とから求まる波長λの１／４となっている。
【００３１】
また、サブアンテナ１２０においては、上述した周波数ｆaを有する電波に共振するものとするため、その長さ、すなわち、ＩＣチップ１０１の回路部を介して２つの配線１２０ａ，１２０ｂが接続された長さは、情報の書き込み及び読み出しに用いる周波数ｆaとベース基材１０２の比透磁率及び比誘電率とから求まる波長λの１／２となっている。
【００３２】
また、サブアンテナ１２０を構成する配線１２０ａ，１２０ｂにおいては、その長さが互いに異なっている。そのため、配線１２０ａ，１２０ｂの長さは、メインアンテナ１１０を構成する配線１１０ａ，１１０ｂのように情報の書き込み及び読み出しに用いる周波数ｆaとベース基材１０２の比透磁率及び比誘電率とから求まる波長λの１／４にはなっていない。
【００３３】
上記のように構成された非接触型ＩＣタグ１００においては、外部に設けられた情報書込／読出装置（不図示）に近接させることにより、情報書込／読出装置からの周波数ｆaを有する電波に共振してメインアンテナ１１０に電流が流れ、この電流がＩＣチップ１０１に供給され、それにより、非接触状態において、情報書込／読出装置からＩＣチップ１０１に情報が書き込まれたり、ＩＣチップ１０１に書き込まれた情報が情報書込／読出装置にて読み出されたりする。またこの際、サブアンテナ１２０においても、情報書込／読出装置からの周波数ｆaを有する電波に共振して電流が流れる。この電流は発光素子１０３に供給され、それにより、発光素子１０３が駆動して点灯する。
【００３４】
以下に、上述した非接触型ＩＣタグ１００において、ＩＣチップ１０１に内蔵された回路部が断線する等してＩＣチップ１０１が破損した場合の発光素子１０３の動作について説明する。
【００３５】
図３は、図１に示した非接触型ＩＣタグ１００においてＩＣチップ１０１が破損した場合の発光素子１０３の動作を説明するための図であり、（ａ）はＩＣチップ１０１が破損していない場合のサブアンテナ１２０の接続状態を示す図、（ｂ）はＩＣチップ１０１が破損している場合のサブアンテナ１２０の接続状態を示す図である。
【００３６】
図１に示した非接触型ＩＣタグ１００においてＩＣチップ１０１が破損していない場合は図３（ａ）に示すように、サブアンテナ１２０を構成する配線１２０ａと配線１２０ｂとがＩＣチップ１０１内の回路部を介して互いに接続された状態となっており、２つの配線１２０ａ，１２０ｂが接続されたサブアンテナ１２０の長さは、上述したように、情報の書き込み及び読み出しに用いる周波数ｆaとベース基材１０２の比透磁率及び比誘電率とから求まる波長λの１／２となっている。そのため、この状態で、ＩＣチップ１０１に対して情報の書き込みや読み出しを行う情報書込／読出装置に近接させると、サブアンテナ１２０において、情報書込／読出装置からの情報の書き込みや読み出しを行うための周波数ｆaを有する電波に共振して電流が流れ、この電流が発光素子１０３に供給されて発光素子１０３が点灯する。
【００３７】
一方、図１に示した非接触型ＩＣタグ１００において、ＩＣチップ１０１に内蔵された回路部が断線する等してＩＣチップ１０１が破損している場合は図３（ｂ）に示すように、サブアンテナ１２０を構成する配線１２０ａと配線１２０ｂとがＩＣチップ１０１内の回路部にて断線した状態となる。そのため、サブアンテナ１２０が、共振点における周波数がｆaとなって共振するダイポールアンテナとして機能しなくなり、サブアンテナ１２０には電流が流れない。また、断線した２つの配線１２０ａ，１２０ｂにおいても、上述したように、情報の書き込み及び読み出しに用いる周波数ｆaとベース基材１０２の比透磁率及び比誘電率とから求まる波長λの１／４にはなっていないため、その共振点における周波数がｆaとなって共振するモノポールアンテナとして機能しない。それにより、ＩＣチップ１０１に内蔵された回路部が断線する等してＩＣチップ１０１が破損している場合は、サブアンテナ１２０には電流が生じず、発光素子１０３が点灯しない。
【００３８】
このように、ＩＣチップ１０１が破損していない場合は、ＩＣチップ１０１に対して情報の書き込みや読み出しを行う情報書込／読出装置に近接させると、情報書込／読出装置からの情報の書き込みや読み出しを行うための周波数ｆaを有する電波にサブアンテナ１２０が共振してサブアンテナ１２０に電流が流れ、この電流によって発光素子１０３が点灯し、また、ＩＣチップ１０１内の回路部が断線する等、ＩＣチップ１０１が破損している場合は、情報書込／読出装置に近接させても、情報書込／読出装置からの情報の書き込みや読み出しを行うための周波数ｆaを有する電波にサブアンテナ１２０が共振せず、発光素子１０３に電流が供給されずに発光素子１０３が点灯しないので、発光素子１０３が点灯するかどうかによって、ＩＣチップ１０１が破損しているかどうかを検知することができる。
【００３９】
また、上述したように発光素子１０３の起電力は、情報書込／読出装置からの電波にサブアンテナ１２０が共振することによりサブアンテナ１２０に生じる電流によるものであるため、発光素子１０３を点灯させるための電池等の電源を非接触型ＩＣタグ１００に内蔵しておく必要がなく、電池切れ等のメンテナンスが不要となる。
【００４０】
なお、本形態において、ＩＣチップ１０１の接続端子にて互いに接続された配線１１０ａと配線１２０ａ、並びに配線１１０ｂと配線１２０ｂとを加えたそれぞれの長さが、情報の書き込み及び読み出しに用いる周波数ｆaとベース基材１０２の比透磁率及び比誘電率とから求まる波長λの１／２となっている場合、ＩＣチップ１０１が破損している状態においても、配線１１０ａと配線１２０ａとを合わせた部分や配線１１０ｂと配線１２０ｂとを合わせた部分にて電流が流れ、この電流が発光素子１０３に供給されて発光素子１０３が発光してしまう虞れがある。そのため、配線１１０ａと配線１２０ａ、並びに配線１１０ｂと配線１２０ｂとを加えたそれぞれの長さが、情報の書き込み及び読み出しに用いる周波数ｆaとベース基材１０２の比透磁率及び比誘電率とから求まる波長λの１／２とならないようにしておく必要がある。ただし、本形態にて示したものにおいては、上述したように、配線１１０ａ，１１０ｂのそれぞれの長さが、情報の書き込み及び読み出しに用いる周波数ｆaとベース基材１０２の比透磁率及び比誘電率とから求まる波長λの１／４となっており、かつ、配線１２０ａ，１２０ｂのそれぞれの長さが、情報の書き込み及び読み出しに用いる周波数ｆaとベース基材１０２の比透磁率及び比誘電率とから求まる波長λの１／４にはなっていないことから、配線１１０ａと配線１２０ａ、並びに配線１１０ｂと配線１２０ｂとを加えたそれぞれの長さは、情報の書き込み及び読み出しに用いる周波数ｆaとベース基材１０２の比透磁率及び比誘電率とから求まる波長λの１／２にはなっていない。
【００４１】
（他の実施の形態）
図４は、本発明のＲＦＩＤメディアの他の実施の形態を示す図であり、（ａ）は上面図、（ｂ）は（ａ）に示したＡ−Ａ’断面図である。
【００４２】
本形態は図４に示すように、図１に示したものに対して、２つの配線２１０ａ，２１０ｂ間に、ＩＣチップ２０１と並列に整流ブリッジ２０５が接続されている点のみが異なるものである。
【００４３】
以下に、上述した非接触型ＩＣタグ２００において、ＩＣチップ２０１に内蔵された回路部が断線する等してＩＣチップ２０１が破損した場合の発光素子２０３の動作について説明する。
【００４４】
図５は、図４に示した非接触型ＩＣタグ２００においてＩＣチップ２０１が破損した場合の発光素子２０３の動作を説明するための図であり、（ａ）はＩＣチップ２０１が破損していない場合のサブアンテナ２２０の接続状態を示す図、（ｂ）はＩＣチップ２０１が破損している場合のサブアンテナ２２０の接続状態を示す図である。
【００４５】
図４に示した非接触型ＩＣタグ２００においてＩＣチップ２０１が破損していない場合は図５（ａ）に示すように、サブアンテナ２２０を構成する配線２２０ａと配線２２０ｂとがＩＣチップ２０１内の回路部を介して互いに接続された状態となっており、２つの配線２２０ａ，２２０ｂが接続されたサブアンテナ２２０の長さは、情報の書き込み及び読み出しに用いる周波数ｆaとベース基材２０２の比透磁率及び比誘電率とから求まる波長λの１／２となっている。そのため、この状態で、ＩＣチップ２０１に対して情報の書き込みや読み出しを行う情報書込／読出装置に近接させると、サブアンテナ２２０において、情報書込／読出装置からの情報の書き込みや読み出しを行うための周波数ｆaを有する電波に共振して電流が流れ、この電流が発光素子２０３に供給されて発光素子２０３が点灯する。
【００４６】
一方、図４に示した非接触型ＩＣタグ２００において、ＩＣチップ２０１に内蔵された回路部が断線する等してＩＣチップ２０１が破損している場合は図５（ｂ）に示すように、サブアンテナ２２０を構成する配線２２０ａと配線２２０ｂとが、ＩＣチップ２０１内の回路部にて断線するものの、配線２１０ａ，２１０ｂの一部と整流ブリッジ２０５とを介して接続された状態となる。それにより、発光素子２０３に接続されたアンテナ部の長さは、２つの配線２２０ａ，２２０ｂからなるサブアンテナ２２０と配線２１０ａ，２１０ｂの一部と整流ブリッジ２０５とを加えた長さとなる。そのため、情報書込／読出装置からの情報の書き込みや読み出しを行うための周波数ｆaを有する電波に共振する長さにはならず、発光素子２０３に接続されたアンテナ部には共振による電流が流れることはなく、発光素子２０３に電流が供給されずに発光素子２０３が点灯しない。またこの際、発光素子２０３に接続されたアンテナ部の構成が、サブアンテナ２２０のみから、サブアンテナ２２０と配線２１０ａ，２１０ｂの一部と整流ブリッジ２０５とからなるものに変化することによりアンテナ部のインピーダンスが変化することによっても、情報書込／読出装置からの情報の書き込みや読み出しを行うための周波数ｆaを有する電波にアンテナ部が共振しないようになる。
【００４７】
なお、上述した２つの実施の形態においては、メインアンテナ１１０，２１０としてメアンダアンテナを用いたものを例に挙げて説明したが、配線が直線状となる一般的なダイポールアンテナであっても、本発明を適用することができる。また、２つの配線からなるものではなく、１つの配線からなるモノポールアンテナであってもよい。
【００４８】
また、上述した２つの実施の形態においては、表示手段としてＬＥＤ等の発光素子１０３，２０３を例に挙げて説明したが、本発明はこれに限らず、サブアンテナ１２０，２２０に流れる電流によって駆動するものであれば適用可能である。例えば、発光素子１０３，２０３のように供給された電流によってただ単に発光するものではなく、予め設定された情報を表示するものや、音を発生するもの等、様々なものを適用することができる。
【００４９】
また、上述した２つの実施の形態においては、ＲＦＩＤメディアとして非接触型ＩＣタグ１００，２００を例に挙げて説明したが、非接触型ＩＣカードや非接触型ＩＣラベル等についても適用できることは言うまでもない。
【図面の簡単な説明】
【００５０】
【図１】本発明のＲＦＩＤメディアの実施の一形態を示す図であり、（ａ）は上面図、（ｂ）は（ａ）に示したＡ−Ａ’断面図である。
【図２】図１に示した非接触型ＩＣタグの周波数特性を説明するための図である。
【図３】図１に示した非接触型ＩＣタグにおいてＩＣチップが破損した場合の発光素子の動作を説明するための図であり、（ａ）はＩＣチップが破損していない場合のサブアンテナの接続状態を示す図、（ｂ）はＩＣチップが破損している場合のサブアンテナの接続状態を示す図である。
【図４】本発明のＲＦＩＤメディアの他の実施の形態を示す図であり、（ａ）は上面図、（ｂ）は（ａ）に示したＡ−Ａ’断面図である。
【図５】図４に示した非接触型ＩＣタグにおいてＩＣチップが破損した場合の発光素子の動作を説明するための図であり、（ａ）はＩＣチップが破損していない場合のサブアンテナの接続状態を示す図、（ｂ）はＩＣチップが破損している場合のサブアンテナの接続状態を示す図である。
【図６】マイクロ波帯を利用して通信を行うＩＣチップが搭載された非接触型ＩＣタグの一例を示す図であり、（ａ）は上面図、（ｂ）は（ａ）に示したＡ−Ａ’断面図である。
【符号の説明】
【００５１】
１００，２００    非接触型ＩＣタグ
１０１，２０１    ＩＣチップ
１０２，２０２    ベース基材
１０３，２０３    発光素子
１１０，２１０    メインアンテナ
１１０ａ，１１０ｂ，１２０ａ，１２０ｂ，２１０ａ，２１０ｂ，２２０ａ，２２０ｂ    配線
１１１ａ，１１１ｂ    導電領域
１２０，２２０    サブアンテナ
２０５    整流ブリッジ
【図１】
2008090652.tif 000003
【図２】
2008090652.tif 000004
【図３】
2008090652.tif 000005
【図４】
2008090652.tif 000006
【図５】
2008090652.tif 000007
【図６】
2008090652.tif 000008